(57)【要約】      （修正有）【課題】左右に隣接する仮設トイレの連棟固定部にステイを宛がい、ボルト・ナットで前記連棟固定部に固定して仮設トイレを接続する場合に、作業者の負担を軽減し、締結後のボルトの緩みを防止する。【解決手段】連棟固定部を、ドア枠と一体化したベース部材３１、ベース部材３１に固定されたカバー部材３２、及びナット３３により構成する。ナット３３は全周にフランジ３８を有し、フランジ３８がベース部材３１とカバー部材３２の隙間に配置され、本体部３７がベース部材３１の穴３５内に配置されている。ナット３３は、ベース部材３１とカバー部材３２により前後方向への移動が規制され、かつ前後方向に対し垂直な面内で所定範囲内を遊動可能である。前方側（カバー部材３２側）から連棟固定部にステイ４２を宛がい、ナット３３及びボルト４４によりステイ４２を連棟固定部に締結する。【選択図】図３
2017002545.tif 000002
【特許請求の範囲】
【請求項１】
仮設トイレのボックスの左右のドア枠の略同高さの位置にそれぞれ設置され、複数棟の仮設トイレを左右に連棟する場合に隣接する仮設トイレ同士を互いに連結するための連棟固定部において、ねじの軸心を前記ボックスの前後方向に向けた雌ねじ部材又は雄ねじ部材を含み、前記雌ねじ部材又は雄ねじ部材は前後方向への移動が規制され、かつ前後方向に対し垂直な面内で所定範囲内を遊動可能とされ、前記ボックスの前方側から対をなす雄ねじ部材又は雌ねじ部材をねじ込めるようになっていることを特徴とする仮設トイレの連棟固定部。
【請求項２】
前記連棟固定部が、前記ドア枠と一体化したベース部材、前記ベース部材に固定されたカバー部材、及び前記雌ねじ部材又は雄ねじ部材からなり、前記雌ねじ部材又は雄ねじ部材がフランジを有し、前記フランジが前記ベース部材とカバー部材の間に遊嵌し、前記雌ねじ部材又は雄ねじ部材は前記ベース部材とカバー部材により前後方向への移動が規制され、かつ前後方向に対し垂直な面内で所定範囲内を遊動可能であり、前記ベース部材又はカバー部材のうち少なくとも前方側に位置する部材に前記雌ねじ部材又は雄ねじ部材のねじの呼び径より大きい直径の穴が形成されていることを特徴とする請求項１に記載された仮設トイレの連棟固定部。
【請求項３】
ボックスの左右のドア枠に請求項１又は２に記載された連棟固定部がそれぞれ設置された仮設トイレ。
【請求項４】
請求項３に記載された仮設トイレが複数棟左右に並び、隣接する各仮設トイレの隣接する一対の連棟固定部に、左右にボルト穴が形成されたステイが宛がわれ、前記ステイが各連棟固定部に配置された前記雌ねじ部材又は雄ねじ部材及びこれと対をなす雄ねじ部材又は雌ねじ部材により各連棟固定部に締結されていることを特徴とする連棟仮設トイレ。
【発明の詳細な説明】
【技術分野】
【０００１】
本発明は、公共の場所、工事現場、イベント会場、パーキング、被災地など、様々な場所に、複数の仮設トイレを左右に並べた状態で設置する（連棟という）場合に、隣接する仮設トイレ同士を互いに連結して整列状態とするために各仮設トイレに設置される連棟固定部に関する。
【背景技術】
【０００２】
特許文献１に、ボックスと便槽、及びボックス内の図示しない便器からなる仮設トイレが記載されている。ボックスは平面視略四角形で、ドアを有する前面壁、後面壁、左右の側面壁及び天井壁からなる。ボックスを構成する各壁と便槽は、いずれもプラスチックの二重壁ブロー成形体からなる。特許文献１の図６には、側面壁と便槽及び側面壁と天井壁がボルト・ナットにより互いに締結された状態が示されているが、側面壁と前面壁及び側面壁と後面壁についても、例えば本願の図８，１０に示すように、ボルト・ナットにより互いに締結されている。
【０００３】
図８に示す仮設トイレにおいて、前面壁１は、中央部のドア２と、ドア２の周囲を囲む上部ドア枠３、左右のドア枠４，５及び下部ドア枠６からなり、ドア枠４と正面視右側の側面壁７及びドア枠５と正面視左側の側面壁（図示せず）が各３箇所の締結部８（８ａ〜８ｃ），９（９ａ〜９ｃ）において、ボルト・ナットにより互いに締結される。ただし、図８にはボルト・ナット等の締結構造は図示されていない。
締結部８ｂの断面図を図９に示す。二重壁のドア枠４の正面視右側端部に、正面視半円形の溶着部（二重壁を構成するパリソンが互いに溶着して板状となった箇所）１１が前後方向に対し垂直な面に平行に形成され、側面壁７の端部にも溶着部１１と略同形状の溶着部１２とその背後に窪み１３（二重壁を構成するパリソンが互いに溶着して形成された窪み）が形成されている。溶着部１１，１２は前後で重なり合い、ボルト穴１４，１５が形成されて前記締結部８ｂを構成し、ボルト穴１４，１５を貫通するボルト１６、ナット１７及び座金１８により互いに締結される。他の締結部８ａ，８ｃ，９ａ〜９ｃも、締結部８ｂと同様の締結構造を有し、ボルト・ナットで締結される。
【０００４】
図８に示す仮設トイレを連棟する場合、一例として図１０に示すように、隣接する仮設トイレの締結部８，９の各１つが、隣接する仮設トイレを互いに連結しその整列状態を維持するための連棟固定部として利用される。この例では、隣接する２つの仮設トイレのうち一方の仮設トイレの締結部８ｂと他方の仮設トイレの締結部９ｂが、普通のボルト１６の代わりに、アイボルト１９により締結される（図１１（ａ）参照）。各アイボルト１９のリング２１は締結部８ｂ，９ｂから前方側に突出し、２つのリング２１，２１は結束バンド２２により結束され、これにより図１０に示すように、隣接する仮設トイレが連結される。なお、締結部８ｂ，９ｂ以外の締結部８ａ，８ｃ，９ａ，９ｃは、ボルト１６及びナット１７（図９参照）により締結されている。
【０００５】
また他の例として、左右のドア枠４，５に連棟固定部を別途形成し（図８に示す連棟固定部２３，２４参照）、この連棟固定部２３，２４に金属製又はプラスチック製のステイをボルト・ナットで締結することもある。連棟固定部２３，２４は、締結部８ｂにおける溶着部１１（図９参照）と同様に、ドア枠３，４の二重壁を構成するパリソンが互いに溶着して板状となった箇所である。連棟固定部２３，２４には、図１０には図示されていないがボルトの軸が貫通する穴が開けられ、ナットが予め裏面に固定されている。前記ステイは図示されていないが、本発明に係るステイと同様の板状のもので、左右にボルトのねじ軸を通す穴（ボルト穴）が形成され、連棟固定部２３，２４に前方側から宛がわれ、前記ボルト穴に前方側からボルトを通し前記ナットにねじ込むことにより締結される。
【０００６】
さらに他の例として、前記連棟固定部２３，２４に金属製又はプラスチック製のステイを、タッピングねじで固定することもある。この場合、連棟固定部２３，２４には穴やナットは必要とされない。前記ステイは、タッピングねじが貫通する複数個の穴が形成され、連棟固定部２３，２４に前方側から宛がわれ、前記穴に前方側からタッピングねじを通し前記連棟固定部２３，２４にねじ込む（連棟固定部２３，２４に雌ねじを切りながらねじ込む）ことにより締結される。
【先行技術文献】
【特許文献】
【０００７】
【特許文献１】特開２０１５−５４０５３号公報
【発明の概要】
【発明が解決しようとする課題】
【０００８】
仮設トイレを設置する地面には多少とも高低差があるため、複数の仮設トイレを左右に並べていくと、隣接する仮設トイレ同士の高さが異なっていたり、中には前後方向へ傾斜した仮設トイレがでてくる。続いて、隣接する仮設トイレ同士を連結することにより、複数の仮設トイレを互いに近接又は密接させ、かつ傾斜をなるべく縮小して整列状態とするが、これまでの連結手段には次のような問題があった。
結束バンド２２を用いる方法の場合、左右に離れた仮設トイレを引き寄せて近接又は密着させたり、高低差のある仮設トイレ同士を連結するのには適しているが、仮設トイレの前後方向の傾斜を縮小して整列させるのが困難である。
【０００９】
ステイをボルト・ナットで締結する方法の場合、連棟固定部２３，２４にステイを宛がい、ステイのボルト穴にボルトの軸を挿し入れ、連棟固定部２３，２４に固定されたナットにねじ込むが、隣接する仮設トイレ同士の間隔は一定とはいえず、また隣接する仮設トイレには高低差もあり得るので、隣接する仮設トイレの連棟固定部２３，２４に固定されたナット同士の間隔は一定ではない。このため、ステイのボルト穴の径を大きくして、ボルト位置の調整ができるようにしている。しかし、ステイのボルト穴を大きくしたことでボルトの座面確保のため座金が必要となり、また、締結後は徐々に応力緩和してボルト位置がずれたりする。座金を必要とする（部品数が多い）ことで、多数の連棟作業を手早く行わなければならない作業者の負担が大きく、また、締結後にボルト位置がずれた場合、仮設トイレの整列状態が悪くなる可能性がある。
【００１０】
ステイをタッピングねじで固定する方法の場合、連棟作業を行うたびに仮設トイレ（連棟固定部２３，２４）の前面に複数のタッピング穴が残されるため、連棟作業を何回も繰り返すと商品（仮設トイレ）の見た目が悪化し、さらに連棟固定部２３，２４においてタッピング穴の形成場所がしだいになくなり、いずれタッピングねじによる固定ができなくなり、仮設トイレの寿命（連棟用としての寿命）が尽きる。
【００１１】
本発明は、従来の連結手段のうち、ステイをボルト・ナットで締結する方法を改良するもので、連棟作業における作業者の負担を軽減することを主たる目的とし、座金がなくても締結後のボルトの緩みを防止できるようにすることを他の目的とする。 
【課題を解決するための手段】
【００１２】
本発明は、仮設トイレのボックスの左右のドア枠の略同高さの位置にそれぞれ設置され、複数棟の仮設トイレを左右に連棟する場合に隣接する仮設トイレ同士を互いに連結するための連棟固定部の改良に係る。本発明に係る連棟固定部は、ねじの軸心を前記ボックスの前後方向に向けた雌ねじ部材又は雄ねじ部材を含み、前記雌ねじ部材又は雄ねじ部材は前記連棟固定部において前後方向への移動が規制され、かつ前後方向に対し垂直な面内で所定範囲内を遊動可能とされ、前記ボックスの前方側から対をなす雄ねじ部材又は雌ねじ部材をねじ込めるようになっていることを特徴とする。
上記連棟固定部において、雌ねじ部材は主としてナットであり、雄ねじ部材は主としてボルト（小ねじを含む）である。また、対をなす雄ねじ部材又は雌ねじ部材とは、連棟固定部の雌ねじ部材又は雄ねじ部材のねじに組み合わされる（螺合する）雄ねじ部材又は雌ねじ部材を意味する。
本発明において、ボックスの前面壁（ドアが形成された壁）側が前方側、後面壁側が後方側であり、前後方向とは前記ドアの面に垂直な方向である。
【００１３】
前記連棟固定部の構造の実施の一形態として、前記ドア枠と一体化したベース部材、前記ベース部材に固定されたカバー部材、及び前記雌ねじ部材又は雄ねじ部材からなる連棟固定部を挙げることができる。この場合、前記雌ねじ部材又は雄ねじ部材がフランジを有し、前記フランジが前記ベース部材とカバー部材の間に遊嵌し（遊びがある状態で挟まれている）、前記雌ねじ部材又は雄ねじ部材は前記ベース部材とカバー部材により前後方向への移動が規制され、かつ前記ベース部材とカバー部材の間で前後方向に対し垂直な面内で所定範囲（遊動範囲）内を遊動可能である。前記ベース部材又はカバー部材のうち少なくとも前方側に位置する部材に、雄ねじ部材（前記連棟固定部に含まれる雌ねじ部材と対になる雄ねじ部材又は前記連棟固定部に含まれる雄ねじ部材）のねじ軸を通す穴が形成されている。この穴の直径は、前記連棟固定部に含まれる前記雌ねじ部材又は雄ねじ部材のねじの呼び径より当然大きく、例えば前記呼び径より３〜３０ｍｍ程度大きい直径とすることが好ましい。
【００１４】
本発明に係る仮設トイレは、ボックスの左右のドア枠の略同高さの位置に、上記連棟固定部がそれぞれ設置された仮設トイレである。
この仮設トイレを連棟するに際しては、複数棟の仮設トイレを左右に並べ、隣接する各仮設トイレの隣接する連棟固定部に、左右にボルト穴が形成されたステイを宛がい、連棟固定部に配置された雌ねじ部材又は雄ねじ部材及びこれと対をなす雄ねじ部材又は雌ねじ部材により、連棟固定部に締結する。連棟固定部に雌ねじ部材が配置されている場合、これと対をなす雄ねじ部材の軸をステイのボルト穴に通し、連棟固定部の雌ねじ部材にねじ込む。連棟固定部に雄ねじ部材が配置されている場合、ステイを連棟固定部に宛がうときボルト穴を前記雄ねじ部材のねじ軸に通し（ボルト穴からねじ軸を突出させ）、前記雄ねじ部材と対をなす雌ねじ部材を前記ねじ軸にねじ込む。
【発明の効果】
【００１５】
本発明に係る仮設トイレの連棟固定部によれば、従来のようにステイのボルト穴を大きくしなくても済むので、座金を用いなくてもボルトの座面を確保でき、部品数が減るため連棟作業における作業者の負担を軽減することができる。また、座金がなくてもボルトの座面を確保できることから、締結後のボルトの緩みを防止でき、締結後のボルト位置のずれが防止され、仮設トイレの整列状態の悪化を防止することができる。 
【図面の簡単な説明】
【００１６】
【図１】本発明に係る仮設トイレの前方側斜視図である。
【図２】図１に示す連棟固定部の断面図（Ａ−Ａ断面図）である。
【図３】図１に示す連棟固定部の組付図である。
【図４】図１に示す仮設トイレを連棟した正面図である。
【図５】図４に示す連棟仮設トイレの連棟固定部の正面図である。
【図６】図５のＢ−Ｂ断面図である。
【図７】本発明に係る他の連棟固定部の断面図である。
【図８】従来の仮設トイレの前方側斜視図である。
【図９】図８に示す仮設トイレの締結部の断面図（Ｃ−Ｃ断面図）である。
【図１０】図８に示す仮設トイレを連棟した正面図である。
【図１１】図１０に示す連棟仮設トイレの締結部の正面図（ａ）及び同正面図のＤ−Ｄ断面図である。
【発明を実施するための形態】
【００１７】
以下、図１〜図７を参照して、本発明に係る仮設トイレ及びその連棟固定部について説明する。図１〜７において、図８〜１１に記載された部位と実質的に同じ部位には、同じ番号を付与している。
図１に示す仮設トイレは、ボックス２５と便槽２６、及びボックス２５内の図示しない便器からなる。ボックス２５は平面視略四角形で、ドア２を有する前面壁１、後面壁（図示せず）、左右の側面壁（正面視右側の側面壁７のみ示す）及び天井壁２７からなる。ボックス２５を構成する各壁と便槽２６は、いずれもプラスチックの二重壁ブロー成形体からなる。
【００１８】
ボックス２５の前面壁１は、中央部のドア２と、ドア２の周囲を囲む上部ドア枠３、左右のドア枠４，５及び下部ドア枠６からなり、図８に示す仮設トイレと同様に、右側ドア枠４と右側の側面壁７及び左側ドア枠５と左側の側面壁（図示せず）に、各３箇所の締結部８（８ａ〜８ｃ），９（９ａ〜９ｃ）が形成され、ボルト・ナットにより互いに締結されている。ただし、図１にはボルト・ナット等の締結構造は図示されていない。
仮設トイレの左右のドア枠４，５には、同高さ位置にそれぞれ連棟固定部２８，２９が形成されている。図２に示すように、連棟固定部２８，２９は、左右のドア枠４，５と一体化して形成された板状のベース部材３１、ベース部材３１に固定されたカバー部材３２、及びベース部材３１とカバー部材３２の間に配置されたナット３３からなる。なお、図１において連棟固定部２８は、ナット３３及びカバー部材３２を組み付けた状態で図示され、連棟固定部２９はナット３３及びカバー部材３２を組み付ける前の状態（ベース部材３１が露出）で図示されている。
【００１９】
ベース部材３１は、この例では、ドア枠４，５の二重壁を構成するパリソンが互いに溶着して板状となった箇所である。ベース部材３１は、輪郭が略四角形で、中央部前方側に円形の凹部３４が形成され、その中央に穴３５が形成されている。カバー部材３２は金属製又はプラスチック製の板であり、タッピングねじ３６によりベース部材３１の周縁部（凹部３４の外周側）に固定されている。ナット３３は正６角形の本体部３７の前方側端部全周に平らで円形のフランジ３８を有し、フランジ３８がベース部材３１とカバー部材３２の間に形成された隙間（凹部３４）に配置され、本体部３７がベース部材３１の穴３５内に配置されている。
【００２０】
ベース部材３１とカバー部材３２の間に形成された隙間は、ナット３３のフランジ３８の厚みよりわずかに大きく（フランジ３８が前記隙間に遊嵌している）、ベース部材３１の穴３５の内径（直径）は、本体部３７の外接円の直径（対角距離）より大きい。このため、ナット３３はベース部材３１とカバー部材３２により前後方向への移動が規制され、かつベース部材３１とカバー部材３２の間で前後方向に垂直な面内において、穴３５の内径により決まる円形エリア内を遊動可能（自由に動く）である。この遊動範囲は穴３５の内径の大きさ（詳しくは穴３５の内径と本体部３７の外接円の直径の差）により任意に設定できるが、現実的にみて、ナット３３のねじの軸心が周囲のどの方向にも３ｍｍ〜３０ｍｍ程度の範囲内で遊動可動に設定することが好ましい。この場合、穴３５の内径を本体部３７の外接円の直径より３ｍｍ〜３０ｍｍ大きく設定する。
カバー部材３２には、ベース部材３１の穴３５に対応して穴３９が形成されている。この穴３９の内径（直径）は、ナット３３の呼び径より大きく設定する必要があり、どの程度大きく設定するかは任意であるが、現実的にみて、前記呼び径の大きさより前記遊動範囲の分をプラスした大きさ（前記呼び径より３〜３０ｍｍ程度大きい直径）に設定することが好ましい。
【００２１】
連棟固定部２８，２９を形成する際は、図３の組立図（連棟固定部２９のみ示す）に示すように、ベース部材３１の穴３５にナット３３の本体部３７を嵌め、かつ凹部３４にフランジ３８を嵌め、その上（前方側）からカバー部材３２を宛がい、カバー部材３２に形成された穴４１を通してタッピングねじ３６をベース部材３１にねじ込み、ベース部材３１にカバー部材３２を固定する。
【００２２】
仮設トイレの連棟に際し、隣接する仮設トイレ同士を連結する際は、図３〜５に示すように、隣接する連棟固定部２８，２９の上（前方側）から、金属製又はプラスチック製の板状のステイ４２を宛がい、ボルト穴４３（左右に２つ形成されている）を通して、ボルト（この例では小ねじ）４４を連棟固定部２８，２９に配置されたナット３３，３３にねじ込み、ステイ４２を連棟固定部２８，２９に固定する。なお、ステイ４２に形成される左右一対のボルト穴４３，４３の間隔は、例えば、隣接する仮設トイレが互いに理想的な配置で整列していると仮定したときの隣接する連棟固定部２８，２９の各ベース部材３１，３１の穴３５，３５の中心間の距離と略同じに設定すればよい。
図４に連棟作業後の隣接する仮設トイレを示す。
【００２３】
先に説明したとおり、隣接する仮設トイレ同士の間隔は一定とはいえず、また隣接する仮設トイレには高低差もあり、さらにナット３３は連棟固定部２８，２９内に遊動可能（自由に動くように）に配置されているので、隣接する連棟固定部２８，２９に配置されたナット３３，３３の同士の間隔（ねじ穴の軸心同士の間隔）は、連棟作業前の時点で、ステイ４２の一対のボルト穴４３，４３の間隔と大なり小なり異なることが多い。その場合、一方の連棟固定部（例えば連棟固定部２９）においてボルト４４をナット３３のねじ穴にねじ込んだとすると、他方の連棟固定部（連棟固定部２８）においてボルト穴４３の位置（ボルト４４の位置）とナット３３のねじ穴の位置にずれが生じる。
【００２４】
しかし、ナット３３が連棟固定部２８，２９内で遊動可能であることにより、作業者が、ステイ４２のボルト穴４３及びカバー部材３２の穴３９を通し、ボルト４４のねじ軸の先端をナット３３のねじ穴に宛がってボルト４４を動かし、ナット３３を連棟固定部２８，２９内においてそのねじの軸心に略垂直な面内で略平行移動させ、ナット３３の位置をボルト穴４３の直ぐ先の位置に容易に揃えることができる。
従って、ステイ４２のボルト穴４３を従来のように大きくしておく必要がなく、それによりボルト４４の座面を十分広く確保できるため、座金を必要とせず、連棟作業が容易かつ迅速に行えるようになり、また、経時的なボルト４４の緩み及び位置ずれも発生しにくい。
【００２５】
図７は連棟固定部２８，２９の構造の他の例を示す図であり、図２に示す構造とは、カバー部材３２がボックス２５内に配置される点で異なる。図７において、図２に記載された部位と実質的に同じ部位には、同じ番号を付与している。
具体的に説明すると、この連棟固定部２８（連棟固定部２９も同じ構造）は、ドア枠４の二重壁を構成するパリソンが互いに溶着して板状となったベース部材３１と、ベース部材３１に固定されたカバー部材３２、及びベース部材３１とカバー部材３２の間に配置されたナット３３からなる。ベース部材３１は、中央部後方側に円形の凹部３４が形成され、その中央に穴３５が形成されている。カバー部材３２は、タッピングねじ３６によりベース部材３１の周縁部（凹部３４の外周側）に、ボックス２５内（後方側）から固定されている。ナット３３は正６角形の本体部３７の周囲（本体部３７の前方側端部）に平らで円形のフランジ３８を有し、フランジ３８がベース部材３１とカバー部材３２の間に形成された隙間（凹部３４）に配置され、本体部３７がカバー部材３２の穴３９内に配置されている。
【００２６】
ベース部材３１とカバー部材３２の間に形成された隙間は、ナット３３のフランジ３８の厚みよりわずかに大きく、カバー部材３２の穴３９の内径（直径）は、本体部３７の外接円の直径（対角距離）より大きい。このため、ナット３３はベース部材３１とカバー部材３２により前後方向への移動が規制され、かつベース部材３１とカバー部材３２の間で前後方向に垂直な面内において遊動する（自由に動く）。ナット３３の遊動範囲はカバー部材３２の穴３９の内径の大きさ（詳しくは穴３９の内径と本体部３７の外接円の直径の差）により決まる。ベース部材３１の穴３５の内径（直径）は、ナット３２の呼び径より大きく設定する必要がある。より具体的にいえば、図７に示す連棟固定部２８において、カバー部材３２の穴３９の大きさは図２において説明したベース部材３１の穴３５の大きさと同様の観点で、ベース部材３１の穴３５の大きさは図２において説明したカバー部材３２の穴３９の大きさと同様の観点で設定すればよい。
【００２７】
以上説明した例のほか、本発明には例えば次のような実施の形態も含まれる。
（１）以上説明した例では、連棟固定部２８，２９の一部としてナット３３が配置されていたが、ナット３３に代えて、全周にフランジが形成されたボルトを配置することもできる。このケースを図２を例に説明すると、前記ボルトのフランジをベース部材３１とカバー部材３２の間に形成された隙間（凹部３４）に配置し、前記ボルトのねじ軸をカバー部材３２の穴３９を通して前方側に突出させる。また、図７を例に説明すると、前記ボルトのフランジをベース部材３１とカバー部材３２の間に形成された隙間（凹部３４）に配置し、前記ボルトのねじ軸をベース部材３１の穴３５を通して前方側に突出させる。
このケースにおいて隣接する仮設トイレ同士を連結する際は、隣接する連棟固定部２８，２９の上（前方側）から、ステイ４２を宛がい、ボルト穴４３に前記ボルトのねじ軸を通し、対をなすナットをねじ軸にねじ込み、ステイ４２を連棟固定部２８，２９に固定する。
【００２８】
（２）以上説明した例では、左右のドア枠４，５（前面壁１の一部）と左右の側面壁（側面壁７のみ図示）は、別々の二重壁ブロー成形体からなっていたが、例えば特開２００５−２４８５５３号公報の例えば図４，５及び図１８等に示されているように、左右のドア枠が側面壁と一体の二重壁ブロー成形体からなるものでもよい。
（３）以上説明した例では、ベース部材３１は二重壁ブロー成形体の一部である左右のドア枠４，５の二重壁のパリソンが溶着して板状になったものであったが、ベース部材として前記二重壁ブロー成形体とは別の板状部材を左右のドア枠に一体的に固定（一体化）したものでもよい。
【符号の説明】
【００２９】
４，５  左右のドア枠
７  側面壁
２８，２９  連棟固定部
３１  ベース部材
３２  カバー部材
３３  ナット
３４  ベース部材の凹部
３５  ベース部材の穴
３７  ナットの本体部
３８  ナットのフランジ
３９  カバー部材の穴
４２  ステイ
４３  ボルト穴
４４  ボルト
【図１】
2017002545.tif 000003
【図２】
2017002545.tif 000004
【図３】
2017002545.tif 000005
【図４】
2017002545.tif 000006
【図５】
2017002545.tif 000007
【図６】
2017002545.tif 000008
【図７】
2017002545.tif 000009
【図８】
2017002545.tif 000010
【図９】
2017002545.tif 000011
【図１０】
2017002545.tif 000012
【図１１】
2017002545.tif 000013